(57)【要約】【課題】場所打杭の杭頭処理を騒音や粉塵を発生することなく静穏な状態で、短時間で搬出しやすい大きさに杭頭を破砕撤去できるようにする。【解決手段】コンクリートを打設後、コンクリートがまだ軟らかい間に溝形成具１を杭頭に押し込む。コンクリートがある程度固化したら溝形成具１を引き上げて溝４を形成し、この溝４に板ジャッキ６を設置し溝４の底部にクラック４１を発生させ、余盛部を溝４で区切られた形状に分割してクレーンで撤去し、余盛部を撤去した杭頭部を形成する。【選択図】図１
2006152572.tif 000002
【特許請求の範囲】
【請求項１】
コンクリート打設後の杭頭部に溝形成具を押し込んで複数の溝を形成し、この溝に板ジャッキを挿入して圧力をかけて杭頭コンクリートを撤去する杭頭処理方法。
【請求項２】
請求項１において、杭外周縁にスペーサーを設置してコンクリートを打設し、スペーサーを引き抜いて外周に溝を形成し、板ジャッキを作動させる杭頭処理方法。
【請求項３】
円形の基板と、この基板の下面に複数の仕切板が固定してある溝形成具。
【請求項４】
請求項３において、仕切板が放射状に配置してある溝形成具。
【請求項５】
請求項３において、基板に鉄筋を通過させる鉄筋穴が形成してある溝形成具。
【請求項６】
請求項３〜５のいずれかにおいて、仕切板が間隔をおいて短冊状に取り付けてある溝形成具。
【発明の詳細な説明】
【技術分野】
【０００１】
この発明は、場所打コンクリート杭の杭頭処理方法及びそれに使用する溝形成具に関する。
【背景技術】
【０００２】
場所打杭の施工においては、掘削泥水中のスライムがコンクリート打設と共に上昇し、打設コンクリートに混入して強度が低下した部分が形成される。この強度が低下した部分は、杭の構造体として使用できないので、コンクリートを余分に打設して余盛部を形成し、コンクリート固化後に余盛部を撤去すると共に鉄筋を露出させて上部構造物内に鉄筋を埋設できるようにしている。
【０００３】
従来の杭頭処理の方法は、余盛部に対応する部分の主鉄筋を発泡樹脂製のカバーで被覆してコンクリートとの縁を切って付着を阻止し、余盛部の打設コンクリートの固化後、ブレーカなどの衝撃工具で余盛部のコンクリートを破砕していた。
また、余盛部に横孔を形成して静的破砕剤を挿入し、静的破砕剤の膨張力で余盛部のコンクリートを破砕撤去したり、リング状、または、円弧状の板ジャッキを杭頭に水平に設置し、板ジャッキの膨張力で余盛部のコンクリートを破壊して解体することがおこなわれていた。
【特許文献１】特許第２７２６２４１号公報
【発明の開示】
【発明が解決しようとする課題】
【０００４】
ブレーカなどの衝撃工具を使用して余盛部のハツリ作業をおこなうと、鉄筋に傷を付けることがあり、杭の強度が低下する恐れがあった。また、静的破砕剤を使用する場合でも、一旦固化した打設コンクリートに静的破砕剤を挿入する穴を杭体にドリルで形成しなければならず、騒音や粉塵が発生し、環境衛生上好ましくなかった。更に、静的破砕剤を使用した工法や板ジャッキを使用した工法の場合、杭頭面に凹凸ができて平面にならず、杭径が大きく杭頭処理によって撤去する部分の重量が大きい場合には、破砕した撤去コンクリートの現場からの搬出に大型のクレーンが必要であった。
【０００５】
そこで、この発明は、騒音や粉塵を発生することなく静穏な状態で、かつ、余分な段取りを必要とせずに搬出しやすい大きさに杭頭を破砕処理ができるようにするものである。
【課題を解決するための手段】
【０００６】
杭頭部に複数の溝を形成し、この溝に板ジャッキを挿入して圧力をかけて杭頭コンクリートを分割撤去するものである。
溝を形成するためには、仕切板を適宜の配列、例えば、放射状に配置した分割溝形成具をコンクリート打設後のコンクリートが軟らかい間に杭頭に押し込んで設置し、コンクリートが固化する前に溝形成具を撤去して杭頭に必要な溝を形成するものである。
【０００７】
この溝に板ジャッキを挿入し、板ジャッキを作動させて膨張させ、膨張力によって溝底部にクラックを発生させて余盛部を水平方向に破断し、溝の底部より上部を溝の形状に沿って分割破砕するものである。
したがって、従来のブレーカを使用した撤去工法と比較すると、本発明では騒音、振動が全く発生することがない。また、溝内に板ジャッキを挿入セットする作業は短時間ですみ、板ジャッキに作動流体によって圧力をかけると即座に膨張して杭頭部のコンクリートに膨張力を作用させて破壊するため、静的破砕剤を使用する場合のように、破砕剤の反応時間を考慮する必要がなく、破壊撤去の開始を自由に設定できると共に、作業開始後であっても中断が可能であるので、他の作業との連携の自由度が大きくなるのである。
【０００８】
板ジャッキを膨張させる作動流体に水が使用できるので、板ジャッキが破裂した場合でも水が噴出するだけであり、危険度が小さく、静的破砕剤のように保管場所を必要とせず、環境に悪影響を与えることがないという利点がある。更に、使用後の膨張した板ジャッキを、プレスによって平坦にして元の状態に戻すことができ、再使用することができるのでコストを軽減することができる。
従来の板ジャッキ工法では、杭頭部を一体として撤去するため、搬出のために大型クレーンが必要となるが、この発明によれば、杭頭に溝を形成して現場から搬出しやすい大きさに小割にすることが、短時間に、容易にできるのである。
【発明を実施するための最良の形態】
【０００９】
実施例１
図１に示すように、溝形成具１は、杭の断面形状にあわせた鉄製の円形の基板１０と、その下面に、基板中心から半径方向に余盛部に応じた長さで杭の周縁に達する幅の鉄製の仕切板１１を溶接したものである。仕切板１１は、構築する杭の直径に応じ、仕切板１１によって分割される余盛部の分割片が小型のクレーンで移動できる重量となるように適宜の枚数を選択する。図１のものは仕切板１１で杭頭を４等分するものであり、十字状の配列である。図２に示すものは、１２等分としたものである。仕切板１１の厚さは、杭頭に形成した溝の幅が、板ジャッキ６を挿入することができるものであればよく、３〜５ｍｍでよい。
【００１０】
また、コンクリートが付着しないように、適宜の表面処理、例えば、フッ素樹脂処理、アスファルト処理、グリース等の潤滑剤処理を施したり、仕切板自体の材質をコンクリートとの付着性が小さく、適宜の強度を有するものから選択することができる。
基板１０の表面には、吊り上げ用の金具１２が取り付けてあり、杭頭への設置の際、または、杭頭から撤去する際にクレーン等の引き上げ装置との連結に利用する。穴１３は、溝形成具１が杭頭のコンクリートとの付着力で容易に抜き出せない場合に油圧ジャッキを取り付けるためのものである。
【００１１】
実施例２
図３に示すように、基板１０の周縁部に杭筋を通過させるための鉄筋穴１４を形成したものである。杭頭に設置する際に鉄筋の余長部を基板１０の上に逃がすことができるので、仕切板１１の高さを余盛部の高さに等しくすることができ、仕切板１１の高さを実施例１に比較して小さくできるので、材料費の節約となる。鉄筋穴１４は、鉄筋の数にあわせるものであるが、穴を連続させ、基板１０の周縁に円形の溝を形成したものでもよい。また、仕切板１１を１枚板とせず、板ジャッキ６が収容される幅の板を、間隔をおいて短冊状に固定したものでもよい。
【００１２】
実施例３
図４に示すように、仕切板１１を基板１０の下面に平行に固定したものである。図５に示すものは、仕切板１１の幅を板ジャッキ６を収容できる幅とし、間隔をあけて短冊状の配置としたものである。
図６（１）に示すように、板ジャッキ６は、延性及び耐蝕性を有する金属板、例えばステンレス鋼板の一辺に注入口を形成し、２枚の同形の金属板を重ね合わせて注入口を残して周縁を溶接して袋状に形成したものであり、注入口には流体を供給するためのカップラー６１が形成してある。金属板２枚分の厚さに相当する隙間があれば挿入することができるので、油圧ジャッキや機械式ジャッキのように、大きな設置空間を必要としないという利点があり、更に、注入する流体の圧力を上げたり、または、板の面積を大きくすることによってジャッキが発揮する力を自由に変更することができる薄型のジャッキである。
【００１３】
杭頭処理に使用する板ジャッキにおいては、撤去すべき余盛部の底部に集中的に力を加えて破壊すればよいのであるが、一般に使用されている図６（１）の板ジャッキは、膨張力のすべてがコンクリートの破壊に有効に使用されていないので、図６（２）に示すように、板ジャッキ６の膨張部を横長とし、カップラー６１を延長させて杭頭から突出させたものを使用すると、板ジャッキ６の膨張力を破断すべき部分に集中的に作用させることができる。また、膨張部が比較的小さいので、膨張後にプレスして平坦な状態に戻す作業が容易であり、現場作業に適している。
【００１４】
施工例１
図７（１）に示すように、泥水工法で掘削した杭穴内の杭頭部の鉄筋２に縁切り用の発泡樹脂を被覆、または、円筒状の鉄筋保護具３を被せた鉄筋籠を挿入し、コンクリートを打設する。コンクリートを打設後、コンクリートがまだ軟らかい間に図１に示す仕切板１１が十字状に配列された溝形成具１を金具１２を利用してクレーンで吊り下げて杭頭部まで運び、仕切板１１の位置あわせをおこない、打設コンクリート中に溝形成具１を押し込む。
【００１５】
打設コンクリートが固化を開始し、溝の形状が保持されるまでにコンクリートが固化したところで溝形成具１を引き上げ撤去して杭頭部に余盛部の底部に達する溝４を形成する。作業の都合で固化が進み、コンクリートが仕切板１１に付着して引き抜きが困難になった場合には、基板１０の穴１３に油圧ジャッキを基板１０の中心に対して対称に設置し、仕切板１１とコンクリートの付着を解除して溝形成具１を引き抜く。
【００１６】
図７（２）に示すように、杭頭部に形成された十字状の溝４に、図６に示す板ジャッキ６を設置し、高圧ホースを板ジャッキ６のカップラー６１に接続して高圧水を供給する。板ジャッキ６が溝４の内部溝に拘束されながら膨張し、図８（１）に示すように、溝４の底部にクラック４１を発生させ、余盛部は溝４で区切られた形状に分割されるので分割片をクレーンで撤去し、図８（２）に示すように、余盛部を撤去した杭頭部が完成する。分割片を撤去しやすくするために、溝形成具１の設置の際に杭頭にアンカーを有する金具を埋設してコンクリートを固化させ、この金具をクレーンによるコンクリート分割片の運搬に利用する。
【００１７】
施工例２
図９に示すように、杭径が１５００ｍｍを超える大径杭の場合、図２に示す仕切板１１を放射状に配置して杭頭を１２等分するようにした溝形成具１を施工例１と同様にコンクリート打設後の杭頭に押し込み、形成した溝４に板ジャッキ６を設置して杭頭を撤去するものである。杭径が大きくても杭頭のコンクリート分割片が小さいので、小型のクレーンでコンクリート片を撤去することが可能である。
【００１８】
施工例３
図１０に示すように、図３に示す溝形成具１を使用して杭頭処理用の溝を形成するものであり、鉄筋穴１４に鉄筋２を通して溝形成具１を杭頭に設置して、杭頭に溝４を形成するものである。
【００１９】
施工例４
図１１に示すように、余盛部の底部の鉄筋籠の外側に円弧状のスペーサー７を杭の外周縁に複数設置してコンクリートを打設し、余盛部撤去の際にスペーサー７にスライドハンマーを取り付けて衝撃を与えてスペーサー７を引き抜き、杭の外周に水平溝を形成してから板ジャッキを６作動させることにより、溝の底部から水平溝に達するクラックが入りやすいようにして余盛部を分割片に割りやすくするものである。
図１２に示すように、矩形のスペーサー７を杭の半径方向に放射状に設置してコンクリートを打設し、コンクリート固化後にスペーサー７に衝撃を与えて引き抜いて杭の外周に断続する水平溝を形成することによっても同様に余盛部が分割しやすくなる。
【産業上の利用可能性】
【００２０】
以上のように、本発明は、騒音を発することなく場所打杭の余盛部を適宜の大きさに分割して短時間で、杭頭をほぼ平面の状態に撤去することができるので、杭径が１ｍを超える大きな場合であっても小型のクレーンで余盛部を撤去できる。
また、板ジャッキを使用するものであるので、撤去作業を途中で中断することができ、作業の自由度が大きなものとなるので、他の作業との連携が自由である。
【図面の簡単な説明】
【００２１】
【図１】実施例１の溝形成具の斜視図。
【図２】実施例１の溝形成具の変形例の斜視図。
【図３】実施例２の溝形成具の斜視図。
【図４】実施例３の溝形成具の斜視図。
【図５】実施例３の溝形成具の変形例の斜視図。
【図６】板ジャッキの正面図。
【図７】施工例１の杭頭処理の工程説明図。
【図８】施工例１の杭頭処理の工程説明図。
【図９】施工例２の杭頭処理の工程説明図。
【図１０】施工例３の杭頭処理の工程説明図。
【図１１】施工例４の円弧状スペーサーを杭外周に設置する方法の断面図。
【図１２】矩形スペーサーを杭の半径方向に設置する方法の平面図。
【符号の説明】
【００２２】
１      溝形成具
１０    基板
１１    仕切板
２      鉄筋
３      鉄筋保護具
４      溝
４１    クラック
６      板ジャッキ
７      スペーサー
【図１】
2006152572.tif 000003
【図２】
2006152572.tif 000004
【図３】
2006152572.tif 000005
【図４】
2006152572.tif 000006
【図５】
2006152572.tif 000007
【図６】
2006152572.tif 000008
【図７】
2006152572.tif 000009
【図８】
2006152572.tif 000010
【図９】
2006152572.tif 000011
【図１０】
2006152572.tif 000012
【図１１】
2006152572.tif 000013
【図１２】
2006152572.tif 000014